(57)【特許請求の範囲】
【請求項１】
テープの片面に転写層を設けた転写テープを送り出す巻出部と、送り出された前記転写テープを被転写物に押圧しながら移動させることにより前記転写層を転写させるヘッド部と該ヘッド部を一端で支える支柱とを有する転写部と、転写後のテープを巻き取る巻取部と、前記巻出部、転写部、及び巻取部を収容し、前記転写部の前記ヘッド部を外部へ出すための窓を有するケースと、を備えた塗膜転写具であって、
前記転写部の支柱の他端に設けられ、該支柱の軸の中心から周辺までの距離が回転方向に応じて変化する異形部材と、前記ケースの内側に設けられ、前記ヘッド部が被転写物を押圧していないときは前記異形部材の相対する２つの辺であって最も狭い間隔の両辺を弾力的に狭持する弾力的狭持機構と、を備えた塗膜転写具。
【請求項２】
前記弾力的狭持機構は、前記ヘッド部が被転写物を押圧時に支柱の軸廻りに回転が生じたときは、前記異形部材が回転して前記狭持している両辺の間隔を強制的に最も狭い間隔から大きく広げられるとともに、復帰力を生じさせることを特徴とする請求項１に記載の塗膜転写具。
【請求項３】
前記窓を構成する前記ケースの窓枠は円形の内周を有し、
前記窓枠の内周に沿って回転可能にされ、転写部の前記支柱が挿入されたリングと、該リングの中央付近で前記テープの移動方向と直交する方向から橋渡しされた軸部材とを有し、前記軸部材が該リング内に挿入された前記転写部の支柱の該リングに対する位置を一定に維持させるとともに、軸部材の軸廻りに前記支柱を該リングとともに回転可能に支持する構成としたことを特徴とする請求項１又は２に記載の塗膜転写具。
【請求項４】
前記支柱は、前記ヘッド部が転写方向に移動しながら押圧されたときの押圧状態に応じて、前記ヘッド部を前記転写テープの移動方向に傾斜させるとともに、復帰力を生じさせる弾性を有することを特徴とする請求項３に記載の塗膜転写具。
【請求項５】
前記ケースの窓枠に固定して設けられ、前記転写テープの移動方向と直交する側に、少なくとも中心軸より所定角度範囲に亘って円形の内周を有する円形部を備えたリングと、
前記ヘッド部と前記支柱との間に設けられ、前記リングの前記円形部の内周に沿ってヘッド部の回転を案内する回転ガイドと、
前記リングの内周の前記所定角度範囲の境界位置に設けられ、前記回転ガイドに係止することにより、前記所定角度範囲以上のヘッド部の回転を規制するストッパと、を備えたことを特徴とする請求項１又は２に記載の塗膜転写具。
【発明の詳細な説明】
【技術分野】
【０００１】
本発明は、被転写物、例えば紙等に、転写層、例えば糊を塗布したテープ状の層や文字修正のための膜を塗布したテープ状の層等を有する転写テープを送り出してその転写層を貼り付ける塗膜転写具（塗膜転写具、或いは塗布具等と称せられるが、代表して「塗膜転写具」と言う。）に関する。特に、塗膜転写具を手にもって、ヘッド部で転写テープを被転写物に押圧して移動させながら転写させるときに、押圧力の係り方によってヘッド部がヘッド部の軸中心に回転（或いはよじれ）或いは移動方向と反対方向へ首振りする（傾斜する）ことがあるが、それらに応答してできるだけ均一な転写を行える塗膜転写具に係る。
【背景技術】
【０００２】
一般に、塗膜転写具のヘッド部を押圧しながら移動させて、ある距離だけ転写しようとすると転写テープの幅方向（移動方向と直交する方向）に均等に力が係らず片押し状態（幅方向へ回転力が生じる状態）となり、転写された転写層にむらを生ずることがある。また、塗膜転写具を転写したい距離だけ移動させながら押圧するにあたっては、その距離により、或いは押圧する人により押圧力が異なり（ヘッド部の移動方向と反対方向への首振り状態が異なる）、均一に転写できないことがある。
【０００３】
特許文献１の技術は、上記のようなヘッド部の圧着ブレードの前端を狭持して回転力を吸収しようとする技術である。
【０００４】
【特許文献１】実開平７−１３８６０号公報
【発明の開示】
【発明が解決しようとする課題】
【０００５】
上記の特許文献１の技術は回転力を吸収しようとするが、実際に起こるヘッド部の回転は、その回転の中心点をいつも一定にして回転するのではない。そのままでの構造であれば、片押しによる回転は、首振りの現象を伴って生じる。さらには、ケースの持ち方によるヘッドの傾きによって生ずる場合や、意図的に、斜め引き、或いは曲線引きすることによってヘッド部の回転や首振りの双方が生ずる場合がある。したがって、特許文献１の技術では、ヘッド部の回転及び首振りによる、均一化への悪影響を取り切れていない。
【０００６】
本発明は、上記問題点を改善するものであって、押圧状態によって生じるヘッド部の回転を吸収するとともに正常位置への復帰を図る構成により、加えて、首振りの影響を積極的に吸収するとともに復帰を図る構成により、良好な転写、転写の均一化に貢献する塗膜転写具を提供することを目的とする。
【課題を解決するための手段】
【０００７】
上記課題を解決するため、請求項１に記載の発明は、テープの片面に転写層を設けた転写テープを送り出す巻出部と、送り出された前記転写テープを被転写物に押圧しながら移動させることにより前記転写層を転写させるヘッド部と該ヘッド部を一端で支える支柱とを有する転写部と、転写後のテープを巻き取る巻取部と、前記巻出部、転写部、及び巻取部を収容し、前記転写部の前記ヘッド部を外部へ出すための窓を有するケースと、を備えた塗膜転写具にあって、
前記転写部の支柱の他端に設けられ、該支柱の軸の中心から周辺までの距離が回転方向に応じて変化する異形部材と、前記ケースの内側に設けられ、前記ヘッド部が被転写物を押圧していないときは前記異形部材の相対する２つの辺であって最も狭い間隔の両辺を弾力的に狭持する弾力的狭持機構と、を備えた。
【０００８】
上記課題を解決するため、請求項２に記載の発明は、請求項１に記載の発明において、前記弾力的狭持機構は、前記前記ヘッド部が被転写物を押圧時に支柱の軸廻りに回転が生じたときは、前記異形部材が回転して前記狭持している両辺の間隔を強制的に最も狭い間隔から大きく広げられるとともに、復帰力を生じさせる構成とした。
【０００９】
上記課題を解決するため、請求項３に記載の発明は、請求項１又は２に記載の発明において、前記窓を構成する前記ケースの窓枠は円形の内周を有し、前記窓枠の内周に沿って回転可能にされ、転写部の前記支柱が挿入されたリングと、該リングの中央付近で前記テープの移動方向と直交する方向から橋渡しされた軸部材とを有し、前記軸部材が該リング内に挿入された前記転写部の支柱の該リングに対する位置を一定に維持させるとともに、軸部材の軸廻りに前記支柱を該リングとともに回転可能に支持する構成とした。
【００１０】
上記課題を解決するため、請求項４に記載の発明は、請求項３に記載の発明において、前記支柱は、前記ヘッド部が転写方向に移動しながら押圧されたときの押圧状態に応じて、前記ヘッド部を前記転写テープの移動方向に傾斜させるとともに、復帰力を生じさせる弾性を備えた。
【００１１】
上記課題を解決するため、請求項５に記載の発明は、請求項１又は２に記載の発明において、前記ケースの窓枠に固定して設けられ、前記転写テープの移動方向と直交する側に、少なくとも中心軸より所定角度範囲に亘って円形の内周を有する円形部を備えたリングと、
前記ヘッド部と前記支柱との間に設けられ、前記リングの前記円形部の内周に沿ってヘッド部の回転を案内する回転ガイドと、
前記リングの内周の前記所定角度範囲の境界位置に設けられ、前記回転ガイドに係止することにより、前記所定角度範囲以上のヘッド部の回転を規制するストッパと、を備えた。
【発明の効果】
【００１２】
請求項１又は２に記載の発明によれば、例えば、操作者のケースの持ち方による紙面に対するヘッドの傾き、斜め引き、曲線引き等の押圧状態がヘッドに生ずるが、それらの押圧状態でヘッド部が回転する力が働くとそれに追随して回転可能にするとともに、回転量が大きくなるのに応じて元へ復帰させる力を働かせることにより、回転力を吸収し、転写の均一化が図れる。請求項３及び５に記載の発明によれば、押圧状態でヘッド部が回転する力が働くと、ヘッド部がリング内の所定位置、例えば中央で回転し、また軸部を中心に回転する構成としたので、バラツキを少なくすることができるので、転写の均一化に貢献する。請求項４の発明によれば、押圧・移動状態で生じる首振りの力に応じて傾斜し、復帰する構成にしてあるので、首振りの力を吸収し、転写の均一化に貢献する。また、請求項５に記載の発明によれば、ヘッド部の回転範囲を規制することができるので、過大の回転を規制し、破損を防止する効果がある。
【発明を実施するための最良の形態】
【００１３】
本発明の塗膜転写具に係る実施形態を図をもって説明する。図１は、第１の実施形態の一例の全体構造を示す図である。図２は、ヘッド部を支持する構造を説明するための図である。図３は、ヘッド部の回転構造を説明するための図である。図４は、ヘッド部の首振りの構造を説明するための図である。図５は、第１の実施形態の他の実施形態の外観斜視図である。図６は、第２の実施形態のヘッド部の構造を示す図である。
【００１４】
［第１の実施形態］
図１は、操作者がヘッド部１を被転写物６０（例えば、紙）を押圧して、操作者の手前に（図１では、左方向）に移動させながら転写層１０ｂを転写している状態を示している。図１のケース２０は透明な樹脂で成形されている。ここで、ケース２０内の巻出部３０には、予め転写テープ１０が巻かれている。転写テープ１０は、テープ１０ａと転写層１０ｂが貼り合わせて構成されている。転写テープ１０は、ガイド柱８からリング５内を通ってヘッド部１に係り、さらにリング５を潜ってガイド柱８を経て巻取部４０へ巻取られる。ヘッド部１において、転写層１０ｂは被転写物６０に転写されるが、残りのテープ１０ａだけが巻取部４０に巻き取られる。巻出部３０と巻取部４０は、連動機構５０によりほぼ同じタイミングで互いに反対方向へ回転する。互いの連動には、遊び（タイムラグ）を有し、転写テープ１０（或いはテープ１０ａ）が張られた状態を維持している。
【００１５】
ヘッド部１は、ケースの窓２０ａから突き出た状態で支柱２に支持され、支柱２はヘッド部１とは反対側の端部を狭持板３で回転可能に狭持されるとともに、ヘッド部１近くでリング５により回転可能に保持されている。
【００１６】
ヘッド部１及びヘッド部１が係合するその周辺の機構については、図２にその詳細構成を示す。図２（Ａ）はヘッド部１の斜視図で、図２（Ｂ）は図２（Ａ）の矢視Ｘ側方向から見た図で、図２（Ｃ）は図２（Ａ）の矢視Ｙ側方向から見た図である。いずれも模擬的に示した図である。
【００１７】
図２（Ａ）（Ｂ）に示すように、支柱２の一端にヘッド部１が設けられ、他端に異形部材として角形部材４が設けられている。ヘッド部１は、支柱２の両側に略３角形の板状のテープガイド１ｂが設けられ、その頂部にテープ押圧ローラ１ａが張られている。テープ押圧ローラ１ａは、転写テープ１０が張架されてスムーズに流れるようにするため柱状の形状であって、回転しないものであっても、転写テープ１０の移動方向に回転可能な構造であっても良い。テープ押圧ローラ１ａの長さ（テープガイド１ｂ間の距離）は転写テープ１０の幅とほぼ同じか、より長くされている。２つのテープガイド１ｂは、巻出部３０や巻取部４０側に末広がりの略３角形の板状に形成されているが、その末広がりの部分で、巻出部３０から巻取部４０側へ流れる転写テープ１０（テープ１０ａ）がテープ押圧ローラ１ａからその長さ方向へ外れないようにガイドする機能を有している。
【００１８】
図２（Ｂ）（Ｃ）に示すように、支柱２の中央の位置からヘッド部１側寄りの位置に、転写テープ１０の移動方向と直交する方向（テープ押圧ローラ１ａの軸方向と同一方向）に長さ方向を有する柱状形状の軸部材６が設けられている。図２（Ｃ）に示すように、支柱２を角形部材４側からリング５に挿入されることにより、軸部材６の両端がリング５の係合溝７に嵌合することによって、リング５の中央に橋渡しされた形になる。図２（Ａ）（Ｂ）は、その軸部材６と係合溝７との嵌合状態を示す。このリング５は、図１のようにケース２０の窓枠２０ｂ内に取り付けられ、窓枠２０ｂの周囲に沿って回転可能に支持されている。
【００１９】
支柱２の他端に取り付けられている角形部材４は、ケース２０に取り付けられた２枚の狭持板３（弾力的狭持機構）によって狭持されている。通常は角形部材４（異形部材）の辺間の距離が最短となる距離を有する、相対する両辺で挟み込まれている。
【００２０】
図３は、ヘッド部１に回転が生じたときの状態を説明するための図である。図３（Ａ）はヘッド部１とその周辺機構の全体図で、図３（Ｂ）（Ｃ）（Ｄ）は、図３（Ａ）の矢視Ｚから見た図である。なお図３（Ｂ）（Ｃ）は断面が異形な部材である角形部材４として断面形状が長方形の部材を用いた場合で、図３（Ｄ）は、断面が楕円形の部材を用いた場合の例である。図３（Ａ）で押圧状態により、ヘッド部１に実線で示す状態から点線で示すように回転した場合、支柱２はねじれながら回転する。支柱２の回転は、軸部材６を介してリング５を回転させる。つまり支柱２とリング５は共に回転する。逆にリング５と軸部材６によって、リングの中央位置で回転、或いはケース２０の窓枠２０ｂの中央で回転するように、その回転の中心位置が規制される。つまり、リング５と軸部材６（いわば支柱２の支持機構）は、ヘッド部１の回転を積極的に助けることにより回転を吸収するととともに、その回転位置を規制することにより、回転による支柱２のブレ範囲が狭く制限され安定化される。
【００２１】
一方で、支柱２の他端に設けられた角形部材４は、ヘッド部１が回転していないときは図３（Ｂ）に示すように間隔が狭い方の相対する両辺を板状の２枚の弾力性のある狭持板３で密着して狭持されている。ヘッド部１が回転すると図３（Ｃ）に示すように角形部材４の角から回転力が狭持板３に伝えられて、弾力性のある２枚の狭持板３の間隔が広げられる。しかし、さらに回転が続くと狭持板３の間隔が広げられる反面、狭持板３の弾力性のある反発力により回転を戻す力が強くなる。角形部材４が図３（Ｄ）のような楕円形の断面をしていても同様の効果を有する。上記のようにリング５と軸部材６によりヘッド部１の回転を積極的に吸収するとしても異常状態ではあるので、角形部材４及び狭持板３は正常な状態へ戻そうとするものである。なお、狭持板３に弾力性を有するのみではなく、支柱２は回転方向に対する弾力性を有しても良い。そのために、支柱２は、樹脂性材料で形成することが望ましい。又、形状は、支柱２のヘッド部１側を太く、角形部材４側を細くする構成にすることにより、弾力性をもたせることもできる。
【００２２】
図４は、ヘッド部１の転写テープ１０の移動方向への首振りの状態を説明するための図である。首振りは、操作者がテープ移動方向に移動させるときの押圧力のバラツキによって生じがちである。図４（Ａ）は、リング５と窓枠２０ｂとの間に隙間がほとんど無い場合で、ヘッド部１が図４（Ａ）の実線の状態から点線の状態へ首振りが生じたときの首振りの範囲は、ヘッド部１は、支柱２の途中に設けられている軸部材６を支点として、その軸中心の廻りを回転（傾斜）するので、支柱２の軸部材６からヘッド部までの長さと弾力性に依存する。そしてこの首振りの範囲で、この回転（傾斜）は軸部材６を起点として、積極的に首振りを吸収するとともに、支柱２の弾力性により復帰力が働く。図４（Ｂ）は、リング５と窓枠２０ｂとの間に隙間を大きくした場合で、この場合、ヘッド部１が図４の実線の状態から点線の状態へ首振りが生じたときの首振りの範囲は、ヘッド部１は、リング５とともに狭持板３に狭持されている位置を支点として回転（傾斜）するので、支柱２の長さと弾力性に依存する。そしてこの首振りの範囲で、積極的に首振りを吸収するとともに、支柱２の弾力性により復帰力が働く。
【００２３】
一方、支柱２の長さ方向の軸部材６から角形部材４までの部分は、ヘッド部１の首振りにともなって軸部材６又は狭持板３の位置を中心に回転（傾斜）しようとするが、角形部材４の両辺は弾力性のある狭持板３で狭持されているため、その狭持板３との摩擦力による反発力を受け、角形部材４の位置を元の位置へ戻そうとする。このように首振りにおいても、角形部材４と狭持板３は、支柱２の弾力性とともに協働して支柱２及びヘッド１を積極的に首振りを吸収し、かつ正常な常態へ復帰させようとするものである。
【００２４】
上記の狭持板３は、図３（Ｃ）（Ｄ）のように一端側の２枚の狭持板３の間隔が変わることがあるため、狭持板３を２枚の板部材で構成するときは、ケース２０の内壁にテープ移動方向に向けて立てている。
【００２５】
「第１の実施形態の他の実施形態」
図５に塗膜転写具の他の実施形態の概要を示す外観斜視図を示す。図１の実施形態が、操作者が塗膜転写具を押圧しつつ手元に引きながら転写するものであったが、図５は、操作者が左から右方向へ塗膜転写具を押圧しつつ移動させることにより転写するものである。図１も同様であるが図５のケース２０は透明な樹脂で成形されている。
【００２６】
図５において、図１と同一符号の部材は、形が多少異なることがあるが、基本機能は同一である。図５では、巻出部３０と巻取部４０は、同軸構造にされて連動する構成にされている。
【００２７】
テープ押圧ローラ１ａの向き（つまりは、テープ移動方向）と、実施に配置された巻取部４０の巻き取り方向との関係から、図５におけるテープ押圧ローラ１ａから巻取部４０までの間に、テープ１０ａはガイド柱８により９０度だけ捩れるようにして流されて巻き取られる。
【００２８】
その他、の機構・動作は、図１と同じである。しかしながら、図５の形態では操作者が左側から右側へ、塗膜転写具を移動させるので転写層１０ｂが転写されている状態が視認しやすい。したがって、押圧の仕方で、転写に影響があるかどうか視認しやすいので、操作者は悪影響があると認識したときは押圧する力の配分を調整しやすい。
【００２９】
［第２の実施形態］
図６に示すように、第２の実施形態は、第１の実施形態及び他の実施形態に対して、ヘッド部１の周囲にあるリング１１をケース２０に固定し、そのヘッド部１内にリング１１の内周に沿って回転をガイドする回転ガイド１ｃと、その回転ガイド１ｃの回転範囲を抑制するストッパ１１ａとをリング１１内に設けたことを特徴とするものである。
【００３０】
図６において、図１及び図５と同一符号を付してある要素は、機能も同一である。図６は、ヘッド部１付近及びリング１１付近だけを示しているが、それ以外の要素は、図１及び図５のものがそのまま採用できるので、ここでは説明を省略する。
【００３１】
図６（Ａ）において、リング１１は、ケース２０に回転不能に固定されている。リング１１は、特別に作らず図１の窓枠２０ｂを利用しても良い。図６（Ａ）でテープガイド１ｂと支柱２の間には、板状の形状を有しその中心を支柱２の中心に固定され、半径がリング１１の半径より短くされた回転ガイド１ｃが設けられている。図６（Ａ）の矢視Ｗから見た図が図６（Ｂ）である。図６（Ｂ）のように回転ガイド１ｃは、ヘッド部１が押圧状態により軸中心（＝支柱２の軸中心）に回転しょうとするとき、ヘッド部１の回転をリングの内周に沿ってガイドする。つまり、回転ガイド１ｃは、ヘッド部１の回転中心をリング１１のほぼ中心に規制するためのものでもある。
【００３２】
リング１１の内周の４カ所にストッパ１１ａが設けられていつ。ストッパ１１ａは、ヘッド部１が回転し、回転ガイド１ｃが大きく回転したとき、回転ガイド１ｃに係合して、その回転を停止させるものである。ストッパ１１ａのリング１１中心方向の先端位置とリング中心位置との距離は、回転ガイド１ｃの半径より短くされている。したがって、図６（Ｂ）に示すように回転ガイド１ｃの回転範囲がストッパ１１ａで規制される。
【００３３】
図６（Ｃ）は回転ガイド１ｃの回転範囲をリング１２の形状で規制するものである。リング１２も窓枠２０ｂを変形して兼ねて利用してもよい。図６（Ｃ）でリング１２の断面を、回転ガイド１ｃの面方向の相対する辺を円形にした円形部１２ａとその間を直線にした方形部１２ｂとに分け、リング１２の回転中心からの円形部１２ａまでの距離を回転ガイド１ｃの半径より長く、リング１２の回転中心からの方形部１２ｂまでの距離を回転ガイド１ｃの半径より短く構成している。したがって、回転ガイド１ｃの回転は方形部１２ｂで回転を停止される。つまり、回転範囲は、円形部１２ａの範囲に規制されている。
【００３４】
上記図６（Ｂ）、（Ｃ）に共通の構成を言えば、次のように言える。つまり、ケース２０の窓枠２０ｂに固定して設けられ、少なくとも転写テープ１０の移動方向と直交する側に、少なくとも中心軸より所定角度範囲（上記の回転範囲）に亘って円形の内周を有する円形部１２ａ（或いは１１の一部）を備えたリング１２（１１）と、ヘッド部１と支柱２との間に設けられ、リング１２の円形部１２ａの内周に沿ってヘッド部１の回転を案内する回転ガイド１ｃと、リング１２の内周の所定角度範囲の境界位置に設けられ、回転ガイド１ｃに係止することにより、所定角度範囲以上にヘッド部１が回転するのを規制するストッパ１１ａ（１２ｂ）と、を備えている。
【００３５】
第２の実施形態では、上記のように構成することで、押圧状態によりヘッド部１に回転が生じたときはリング１１の中央を中心に回転させるようにして転写の均一化を図るとともに、過大な回転を規制することで破損等を防止するものである。
【００３６】
なお、第１の実施形態及び他の実施形態はリング５が窓枠２０ｂ内を回転するが、そのリング５と窓枠２０ｂとの関係を、第２の実施形態の回転ガイド１ｃとリング１１（或いは１２）との係合構造を適用すれば、同様の効果を生ずる。
【図面の簡単な説明】
【００３７】
【図１】第１の実施形態の一例の全体構造を示す図である。
【図２】ヘッド部を指示する構造を説明するための図である。
【図３】ヘッド部の回転の構造を説明するための図である。
【図４】ヘッド部の首振りの構造を説明するための図である。
【図５】第１の実施形態の他の実施形態の外観斜視図である。
【図６】第２の実施形態のヘッド部の構造を示す図である。
【符号の説明】
【００３８】
１  ヘッド部、  １ａ  テープ押圧ローラ、  １ｂ  テープガイド、
１ｃ  回転ガイド、  ２  支柱、
３  狭持板、  ４  角形部材（異形部材）、  5  リング、
６  軸部材、  ７  係合溝、  ８  ガイド柱、  １０  転写テープ、  １１  リング、  １１ａ  ストッパ、  １２  リング、  １２ａ  円形部、  １２ｂ  方形部、
１０ａ  テープ、  １０ｂ  転写層、  ２０  ケース、  ２０ａ  窓、
２０ｂ  窓枠、  ３０  巻出部、４０  巻取部、  ５０  連動機構、
６０  被転写物
【図５】
0005005561.tif 000002
【図１】
0005005561.tif 000003
【図２】
0005005561.tif 000004
【図３】
0005005561.tif 000005
【図４】
0005005561.tif 000006
【図６】
0005005561.tif 000007